(57)【要約】  デバイスとデバイスに対するコメントとを対応付けた変数テーブルを記憶する記憶部（１０３）と、画面データを解析して、履歴テーブルを作成し、さらに変数テーブルと履歴テーブルとを合成して履歴込み変数テーブルを作成するテーブル作成部（１０２ａ）と、デバイス入力欄及びコメント入力欄の一方に入力された文字列を基に、履歴込み変数テーブルのデバイス及びコメントに対する検索処理を行い、抽出されたデバイス又はコメントをリストとして一覧表示する検索処理部（１０２ｂ）とを備え、一覧表示されたリストから選択されたデバイス又はコメントをデバイス入力欄及びコメント入力欄に入力する。
2013099013.tif 000002
【特許請求の範囲】
【請求項１】
プログラマブル表示器の画面データを作成する表示器用画面データ編集装置であって、
デバイスと該デバイスに対するコメントとを対応付けた変数テーブルを記憶する記憶部と、
前記画面データを解析して、該画面データ内で使用されている前記デバイスと、該デバイスに対するコメントと、前記デバイスの使用状況を示す履歴情報とを対応付けた項目を複数有する履歴テーブルを作成し、さらに前記変数テーブルと前記履歴テーブルとを合成して履歴込み変数テーブルを作成するテーブル作成部と、
デバイス入力欄及びコメント入力欄の一方に入力された文字列を基に、前記履歴込み変数テーブルの項目に対する検索処理を行い、抽出された項目を第１のリストとして一覧表示する検索処理部とを備え、
前記第１のリストから選択された項目に含まれるデバイス又はコメントを前記デバイス入力欄及び前記コメント入力欄に入力することを特徴とする表示器用画面データ編集装置。
【請求項２】
前記第１のリスト内の項目に含まれる履歴情報がユーザの操作によって選択された場合に、前記選択された履歴情報を前記コメント入力欄に入力することを特徴とする請求項１に記載の表示器用画面データ編集装置。
【請求項３】
前記検索処理部が前記履歴込み変数テーブルから抽出した項目に含まれるデバイス又はコメントが前記デバイス入力欄又は前記コメント入力欄に入力された場合に、前記文字列に関連するデバイス又はコメントを含む項目を前記履歴込み変数テーブルから抽出して第２のリストとして一覧表示する関連情報検出部を有し、
前記第２のリストから選択された項目に含まれるデバイス又はコメントを前記デバイス入力欄及び前記コメント入力欄に入力することを特徴とする請求項１又は２に記載の表示器用画面データ編集装置。
【発明の詳細な説明】
【技術分野】
【０００１】
本発明は、プログラマブル表示器やこれに接続している機器の操作・監視用の画面データを作成する表示器用画面データ編集装置に関する。
【背景技術】
【０００２】
表示器用画面データ編集装置で表示器用画面データを作成する際に、プログラマブル表示器（以下、表示器）やこれに接続された機器のメモリアドレス（以下、デバイス）の設定が求められるが、そのメモリアドレスに注釈文字列（以下、コメント）を設定する手法がある。【０００３】
表示器用画面データを作成する上で、表示器やこれに接続されている機器のデバイス入力を行う際に、デバイスに設定されたコメントを参照することで、誤ることなくデバイスを入力することができる（例えば、特許文献１参照。）。【０００４】
また、これらデバイスやコメントを検索して表示することで、より絞り込まれた候補の中から選択する手法も存在している。この手法は、選択する候補を狭めることで入力間違いを減らすことや入力速度の向上を可能としている（例えば、特許文献２参照。）。【０００５】
このように、デバイスを入力する際に作画ソフトや他のツールにて予め振り当てられたコメントを参照して、デバイスがどのような役割を持っているかが分かるようにすることにより、作画効率を向上させている。
【先行技術文献】
【特許文献】
【０００６】
【特許文献１】特開２００８−１９７７２１号公報
【特許文献２】特開２００５−３５２６１２号公報
【発明の概要】
【発明が解決しようとする課題】
【０００７】
表示器用画面データの作成作業において、デバイスやそのデバイスの説明となるコメントの入力は欠かせない作業の一つである。従来の技術においては、デバイスと予め用意されたコメントとの組み合わせのみが参照可能となっている。しかし、それではコメントが振られていないデバイスを使う状況においては、そのたびにコメントを設定するか、別途メモ等を用意する必要がある。【０００８】
また、多数のデバイスを使う上で、これらのデバイスをどこでどのように使用したかを把握するには、予め設定しておいたコメントだけでは難しい状況が出てくることもある。【０００９】
さらに、より複雑な接続形態が必要になった現在の表示器に対して、既存の技術だけでは柔軟な対応をとることができない場合も多く存在する。【００１０】
本発明は、上記に鑑みてなされたものであって、予め用意したコメントだけでは対応できない状況に対して、ユーザから新しい情報を追加することなくデバイスやコメントについての情報を増やして対応できる表示器用画面データ編集装置を得ることを目的とする。
【課題を解決するための手段】
【００１１】
上述した課題を解決し、目的を達成するために、本発明は、プログラマブル表示器の画面データを作成する表示器用画面データ編集装置であって、デバイスとデバイスに対するコメントとを対応付けた変数テーブルを記憶する記憶部と、画面データを解析して、画面データ内で使用されているデバイスと、デバイスに対するコメントと、デバイスの使用状況を示す履歴情報とを対応付けた項目を複数有する履歴テーブルを作成し、さらに変数テーブルと履歴テーブルとを合成して履歴込み変数テーブルを作成するテーブル作成部と、デバイス入力欄及びコメント入力欄の一方に入力された文字列を基に、履歴込み変数テーブルの項目に対する検索処理を行い、抽出された項目を第１のリストとして一覧表示する検索処理部とを備え、第１のリストから選択された項目に含まれるデバイス又はコメントをデバイス入力欄及びコメント入力欄に入力することを特徴とする。
【発明の効果】
【００１２】
本発明にかかる表示器用画面データ編集装置は、シーケンスプログラムの作成時に、デバイスやコメントの入力を容易に行えるという効果を奏する。
【図面の簡単な説明】
【００１３】
【図１】図１は、本発明にかかる表示器用画面データ編集装置の実施の形態の構成を示す図である。
【図２】図２は、実施の形態にかかる表示器用画面データ編集装置の動作の流れを示す図である。
【図３】図３は、変数テーブルの一例を示す図である。
【図４】図４は、履歴テーブルの一例を示す図である。
【図５】図５は、履歴込み変数テーブルの一例を示す図である。
【図６】図６は、デバイス入力欄に入力された文字列に部分一致するデバイスを第１のリストとして一覧表示した状態を示す図である。
【図７】図７は、第１のリスト上で、カーソルの当たっているデバイス・コメントの脇に履歴情報を表示した状態を示す図である。
【図８】図８は、表示されたリストの中から入力したいデータを入力部で選択することによって入力欄に文字列を入力した状態を示す図である。
【図９】図９は、カーソルを履歴情報に移動させた状態を示す図である。
【図１０】図１０は、カーソルが履歴情報に当たっている状態で所定の操作を行うことにより、コメント入力欄にコメントを入力した状態を示す図である。
【図１１】図１１は、デバイス入力欄に入力された文字列に関連する情報を第２のリストとして一覧表示した状態を示す図である。
【発明を実施するための形態】
【００１４】
以下に、本発明にかかる表示器用画面データ編集装置の実施の形態を図面に基づいて詳細に説明する。なお、この実施の形態によりこの発明が限定されるものではない。
【００１５】
実施の形態．
図１は、本発明にかかる表示器用画面データ編集装置の実施の形態の構成を示す図である。表示器用画面データ編集装置１０１は、各種制御を司る制御部１０２と、キーボードやポインティングデバイスなどの入力装置からの入力を受け付ける入力部１０５と、所定の情報を出力する表示装置としての表示部１０６と、記憶装置（例えばＲＡＭ）としての記憶部１０３、及び通信インタフェース（Ｉ／Ｆ）１０４を備え、通信Ｉ／Ｆ１０４介して所定のケーブルやネットワークなどによって表示器１０７に接続される。
【００１６】
制御部１０２は、例えばＣＰＵである。制御部１０２が記憶部１０３をワークエリアとして作画ソフトウェアを実行することで、制御部１０２上には、デバイス−コメントに対して履歴情報を作成するテーブル作成部１０２ａと、記憶部１０３の保持する変数テーブル及び履歴テーブルから表示する情報を検索する検索処理部１０２ｂと、所定の入力情報に対して関連する情報を提供する関連情報検出部１０２ｃとが構成される。
【００１７】
表示器用画面データ編集装置１０１で作成した画面データは、通信Ｉ／Ｆ１０４を介して表示器１０７に送信される。
【００１８】
図２は、実施の形態にかかる表示器用画面編集装置の動作の流れを示す図である。表示器用画面データ編集装置１０１の動作は、変数テーブル及び履歴テーブルを基に履歴込み変数テーブルを作成する処理（ステップＳ１０８）と、デバイス入力欄やコメント入力欄に入力した文字列を基に検索処理を行い、履歴込み変数テーブルから抽出された項目を第１のリストとして一覧表示する処理（ステップＳ１０９）と、第１のリストから選択されたデバイス又はコメントあるいは履歴情報を入力欄に入力する処理（ステップＳ１１０）と、選択項目に関連する項目を履歴込み変数テーブルから抽出して第２のリストとして一覧表示する処理（ステップＳ１１１）と、第２のリストから選択された項目を入力欄に入力する処理（ステップＳ１１２）とを有する。
【００１９】
まず、変数テーブル及び履歴テーブルを基に履歴込み変数テーブルを作成する処理（Ｓ１０８）について説明する。表示器用画面データ編集装置１０１で作成する表示器用画面データには、使用目的を明確化するためにデバイスにコメントが振られているケースが数多くあり、その情報は画面データ別に変数テーブル２０１として記憶部１０３に格納されている。図３は、変数テーブル２０１の一例を示す図である。変数テーブル２０１は、デバイスとコメントとの対からなる項目を複数有する。
【００２０】
テーブル作成部１０２ａは、画面データ全体から使用されているデバイスを抽出することにより、画面データ内で使用されているデバイスとコメントと履歴情報とを関連付けたテーブル形式のデータである履歴テーブル２０２を作成し記憶部１０３に格納する。図４は、履歴テーブル２０２の一例を示す図である。履歴テーブル２０２は、デバイス及びコメントの少なくとも一方と、履歴情報とからなる項目を複数有する。図４においては、履歴テーブル２０２は履歴情報の分類１に“Ｎｏ．”、分類２に“部品種類”、分類３に“デバイスの設定項目”を振り分けているが、これに限定されることはなく、ユーザの設定次第で変更することが可能である。
【００２１】
テーブル作成部１０２ａは、変数テーブル２０１と履歴テーブル２０２とを基に、デバイス及びコメントの少なくとも一方を主キーとした履歴込み変数テーブル２０３を作成して、データベースとして記憶部１０３へ格納する。図５は、履歴込み変数テーブル２０３の一例を示す図である。履歴込み変数テーブル２０３は、デバイス、コメント及び履歴情報のうち少なくとも二つを持つ項目を複数有する。
【００２２】
ここで、変数テーブル２０１は、デバイスとコメントとが一対となっているため、履歴を付加した際も常にデバイス及びコメントの両方を有するデータとなるが、履歴テーブル２０２は、変数テーブル２０１とは異なる組み合わせも存在することもあり得るため、ユーザにその旨が分かるよう全てのデバイス・コメントの組み合わせ（デバイス及びコメントの一方が無い場合も含む）を含むように、履歴込み変数テーブル２０３を作成する。
【００２３】
具体的には、変数テーブル２０１中のデバイス・コメントの組み合わせのうち、履歴テーブル２０２に無いデバイス・コメントの組み合わせを履歴テーブル２０２に対して差し込み、その項目の履歴を空欄として履歴込み変数テーブル２０３のデータを作成する。
【００２４】
続いて、データの検索・表示方法（Ｓ１０９）について説明する。ユーザによる入力操作によってデバイス・コメント欄に文字が一文字入力されるたびに、入力部１０５が入力を受け付ける。検索処理部１０２ｂは一文字目からの文字列を検索キーワードとして、上記の手法で作成した履歴込み変数テーブル２０３から検索する。ここでは検索対象はデバイス及びコメントだけであり、履歴データ内の文字列は検索対象としないものとするが、後述するように履歴データ内の文字列を検索対象とすることも可能である。
【００２５】
入力欄に入力された文字列に部分一致するデバイス又はコメントを持つデータの行を記憶部１０３のデータベースから抽出して表示部１０６に第１のリストとして一覧表示する。入力部１０５で文字列情報を入力した際は、それらに一致する候補のリストが表示部１０６に表示されるが、この場合は必ずしもリスト項目に履歴情報があるとは限らないため、履歴情報を持つリスト項目に対してのみ情報が表示される。そしてカーソルの当たっているデバイス・コメントの脇に履歴情報が自動的に表示される。図６は、デバイス入力欄に入力された文字列に部分一致するデバイスをリスト表示した状態を示す図である。図６においては、デバイス入力欄２１に“Ｄ”が入力されているため、文字列“Ｄ”と部分一致するデバイスが第１のリスト２２として表示部１０６に表示されている。カーソル３０は、デバイスＤ１０の項目に当たっているため、デバイスＤ１０の項目の脇には履歴情報３１が表示されている。
【００２６】
一般的には、入力欄に対応していない情報だけを持つものはリスト表示対象とならないが、コメントや文字列の入力欄においては、後段で説明するように履歴データの文字列をコメントとして文字列入力に用いるケースがある。このため、デバイス入力欄にはデバイス情報の無いリスト項目のデータは表示されないが、コメントや文字列入力においてはコメント情報が無いリスト項目も表示される。
【００２７】
カーソルの当たっているデバイス・コメントの脇には参照用として履歴情報が自動的に並列的に表示される。この付属の履歴データを参考にすることにより、デバイスやコメントの選択を容易にして作画効率を向上させる。
【００２８】
なお、表示部１０６に表示された入力欄に対して何も文字列が入力されていない時は、検索処理部１０２ｂは、記憶部１０３に記録した履歴テーブル２０２に基づいて、新しく使用した順に履歴テーブル２０２の各項目中のデバイス・コメントを第１のリストとして一覧表示する。そしてカーソルの当たっているデバイス・コメントの脇に履歴情報が自動的に表示される。図７は、第１のリスト上で、カーソルの当たっているデバイス・コメントの脇に履歴情報を表示した状態を示す図である。図７においては、デバイス入力欄２１に文字列が入力されていないため、履歴テーブル２０２に基づいた第１のリスト２３が表示部１０６に表示されている。カーソル３０は、デバイスＧＢ１００の項目に当たっているため、デバイスＧＢ１００の項目の脇には履歴情報３１が表示されている。
【００２９】
次に、リストから選択されたデバイス又はコメントあるいは履歴情報を入力欄に入力する処理（ステップＳ１１０）について説明する。ユーザは、表示されたリストの中から入力したいデータを入力部１０５で選択することで入力欄に文字列を入力できる。この際、表示部１０６に表示された入力欄がデバイス入力のものであれば、選択データの中のデバイスが入力され、コメント入力や文字列入力であればコメントが入力される。
【００３０】
図８は、表示されたリストの中から入力したいデータを入力部１０５で選択することによって入力欄に文字列を入力した状態を示す図である。図６に示したカーソル３０がデバイスＤ１０に当たっている状態において行った所定の操作（例えばエンターキーの押下）を入力部１０５が受け付けることにより、表示部１０６に表示されたデバイス入力欄２１に文字列“Ｄ１０”が入力される。
【００３１】
また、履歴情報をコメントの代用として用いてコメント入力欄に文字列を入力することも可能である。コメント入力欄への文字列入力においても、履歴込み変数テーブル２０３を使用して、入力候補となるリストを表示部１０６に表示する。なお、ここでは予め登録されているコメントではなく、履歴情報を文字列としてコメント入力欄への入力に使用する動作について説明する。
【００３２】
ステップＳ１０８での処理は上記同様である。履歴込み変数テーブル２０３に登録されている各デバイスはコメントが登録されていなくても履歴が付属しているため、ステップＳ１０９での処理でコメント入力欄への文字列の入力を入力部１０５で受け付けた場合には、コメントが無いデバイスであっても、入力された文字列に履歴情報が部分一致するものについては、検索処理部１０２ｂは候補として表示する。
【００３３】
そして、ステップＳ１１０の処理で履歴をコメント入力欄に文字列として入力する際には、履歴情報を持つ項目にカーソルが当たっている状態で行われた所定の操作（例えば、右カーソルキーの押下）を入力部１０５が受け付けることにより、カーソルが履歴情報に移動する。図９は、カーソルを履歴情報に移動させた状態を示す図である。第１のリスト２４内のデバイスＧＢ１００にカーソル３０が当たっている状態で所定の操作を行うことにより、カーソル３０は履歴情報３１に移動する。
【００３４】
そして、カーソルが履歴情報に当たっている状態で行われた所定の操作（例えば、エンターキーの押下）を入力部１０５が受け付けることにより、コメント入力欄にコメントが入力される。図１０は、カーソルが履歴情報に当たっている状態で所定の操作を行うことにより、コメント入力欄にコメントを入力した状態を示す図である。図９に示したように第１のリスト２４内のデバイスＧＢ１００の履歴情報３１にカーソル３０が当たっている状態で所定の操作を行ったことにより、表示部１０６に表示されたコメント入力欄２５には、デバイスＧＢ１００の履歴情報である文字列“Ｂ−２，ビットランプ，モニタデバイス”が入力されている。なお、履歴情報が複数存在する時は別の所定の操作（例えば上下カーソルキーの押下）により履歴情報を選択可能である。
【００３５】
さらに、履歴情報を選択して入力する際も、表示されている情報全てを入力せずに予め入力する分類を絞ることで、入力を行う上での余計な文字列を除き、文字列入力の汎用性向上を見込める。
【００３６】
次に、選択した項目に関連する項目を履歴込み変数テーブル２０３から抽出して第２のリスト２６として一覧表示する処理、換言すると、入力文字列に関連性のある入力候補を一覧表示する処理（ステップＳ１１１）について説明する。
【００３７】
一般的に、デバイス入力の際は、連番で入力する機械（複数の出力を有する機械）や複数機器への接続がなされているため、同種のデバイスであっても機器が異なる場合も数多く存在する。例えば、デバイス名の冒頭の文字が同じであっても後に続く数字が異なるデバイスが複数存在する。それらのケースの入力補助として、デバイスやコメントの入力欄の入力文字列と履歴込み変数テーブル２０３内のデバイスやコメントを選択して一度入力欄に選択した項目が入力された後に、関連情報検出部１０２ｃがそのデバイス又はそのコメントを持つデバイスの前後のデバイスと接続されている機器の同一デバイスを入力候補として表示部１０６に一覧表示する。
【００３８】
入力部１０５で入力・候補選択を受け付けた文字列と記憶部１０３の履歴込み変数テーブル２０３に保持しているデバイスやコメントとが完全一致した際、関連情報検出部１０２ｃがこの文字列に関連のあるデバイス・コメントを含む項目を検索し、表示部１０６に検索結果を表示することにより、ユーザに関連情報を提供したり、インクリメント作業の補佐を行うことができる。
【００３９】
図１１は、デバイス入力欄に入力された文字列に関連する情報を第２のリストとして表示した状態を示す図である。例えば、図６に示したように、デバイス入力欄２１に“Ｄ”と入力することにより、文字列“Ｄ”と部分一致するデバイスのリスト２２が表示された状態で、リスト２２の中からＤ１０の項目を選択すると、デバイス入力欄２１には文字列“Ｄ１０”が入力される。関連情報検出部１０２ｃは、デバイス入力欄２１に入力された文字列“Ｄ１０”と完全一致するデバイスＤ１０に関連のあるデバイス・コメントを検索し、検索結果を第２のリスト２６として表示部１０６に表示する。ここでは、デバイスＤ１０の前後の番号のデバイスＤ９、Ｄ１１や、設定が異なるＤ１０に関する情報が関連情報として第２のリスト２６に表示されている。
【００４０】
次に、デバイス入力欄に入力された文字列に関連する情報のリスト（第２のリスト）から選択された項目を入力欄に入力する処理（ステップＳ１１２）について説明する。
【００４１】
デバイス入力欄に入力された文字列に関連する情報のリストとして一覧表示された第２のリスト内の項目からデバイスやコメントを選択する操作を入力部１０５が受け付けることにより、表示部１０６に表示する入力欄には選択されたデバイス又はコメントが入力される。これにより、連番の入力や他の機器の区別のための情報入力の手間を省ける。また、接続されている機器を情報のみを表示するので設定時に誤りが入る可能性を低減できる。なお、この動作を実行するにあたって、デバイスの入力欄のコメント・履歴情報の有無は問わない。
【００４２】
このように、本実施の形態によれば、デバイスやコメントを入力文字列で検索・一覧表示するに先だって、予め用意されたコメント以外に使用状況を把握するための履歴情報を付属させることで、コメントが設定されていないデバイスの説明及び付加情報を充実させることができる。また、履歴情報をコメントとして割り振ることで、後の編集における目印としてユーザが活用できる。また、複数機器のデバイス等についても候補を別途表示することで、柔軟な情報の提示と割り付けとを実現できる。
【００４３】
また、デバイスやコメントの入力の際にユーザが入力した文字列と部分一致したデバイスやコメントのリストに履歴情報が追加されていることにより、画面データ内のどこでどのような使い方をしたのかをユーザが認識可能である。
【００４４】
また、履歴情報をコメントの代用としてコメント入力欄へ入力することが可能であるため、コメントが登録されていないデバイスの履歴情報の内容をコメントとして割り振ることが可能となる。
【００４５】
また、入力欄に文字が入力されるごとに検索処理を行うため、ユーザに対してデバイスやコメントをより多く提示することができる。これにより、入力候補の早期発見や検索漏れの発生を防止できる。
【００４６】
さらに、履歴込み変数テーブルに登録されているデバイスやコメントと完全一致する文字列が入力された場合に、その文字列と関連があるデバイスやコメントを表示することで、ユーザに対して関連情報を提供したり、インクリメント作業を補佐したりできる。
【００４７】
デバイスの情報追加と検索性の向上、関連情報の提供により、ユーザに対して与える情報種類数と情報提示機会を増加させ、機能増加によって複雑化している表示器用の画面データを作成する際にデバイスやコメントの入力を容易に行えるようにすることが可能である。
【産業上の利用可能性】
【００４８】
以上のように、本発明にかかる表示器用画面データ編集装置は、シーケンスプログラムの作成時に、デバイスやコメントの入力を容易に行える点で有用であり、特に、機能増加によって複雑化している表示器用の画面データを作成するのに適している。
【符号の説明】
【００４９】
２１  デバイス入力欄
２２、２３、２４  第１のリスト
２５  コメント入力欄
２６  第２のリスト
３０  カーソル
３１  履歴情報
１０１  表示器用画面データ編集装置
１０２  制御部
１０２ａ  テーブル作成部
１０２ｂ  検索処理部
１０２ｃ  関連情報検出部
１０３  記憶部
１０４  通信Ｉ／Ｆ
１０５  入力部
１０６  表示部
１０７  表示器
２０１  変数テーブル
２０２  履歴テーブル
２０３  履歴込み変数テーブル
【図１】
2013099013.tif 000003
【図２】
2013099013.tif 000004
【図３】
2013099013.tif 000005
【図４】
2013099013.tif 000006
【図５】
2013099013.tif 000007
【図６】
2013099013.tif 000008
【図７】
2013099013.tif 000009
【図８】
2013099013.tif 000010
【図９】
2013099013.tif 000011
【図１０】
2013099013.tif 000012
【図１１】
2013099013.tif 000013
【手続補正書】
【提出日】平成24年6月6日(2012.6.6)
【手続補正１】
【補正対象書類名】特許請求の範囲
【補正対象項目名】全文
【補正方法】変更
【補正の内容】
【特許請求の範囲】
【請求項１】
プログラマブル表示器自体又は該プログラマブル表示器に接続された機器が有するデバイスの値を、前記プログラマブル表示器上にて操作・表示する画面データを作成する表示器用画面データ編集装置であって、
前記デバイスと該デバイスの注釈文字列であるコメントとを対応付けた項目を有する変数テーブルを記憶する記憶部と、
画面データ内で使用されている前記デバイスと、前記画面データ内で使用されているデバイスに対するコメントと、前記画面データ内で使用されているデバイスの使用状況を示す履歴情報とを前記画面データから抽出し、前記画面データ内で使用されているデバイスと、前記画面データ内で使用されているデバイスに対する前記コメントと、前記画面データ内で使用されているデバイスの前記履歴情報とを対応付けた項目を複数有する履歴テーブルを作成し、さらに前記変数テーブルに含まれる項目のうち、前記作成中の画面データ内で使用されていないデバイスに関するものを、前記履歴テーブルに合成して履歴込み変数テーブルを作成するテーブル作成部と、
デバイス入力欄及びコメント入力欄の一方に入力された文字列を基に、前記履歴込み変数テーブルの項目に対する検索処理を行い、抽出された項目を第１のリストとして一覧表示する検索処理部とを備え、
前記第１のリストから選択された項目に含まれるデバイス又はコメントを前記デバイス入力欄及び前記コメント入力欄に入力することを特徴とする表示器用画面データ編集装置。
【請求項２】
前記第１のリスト内の項目に含まれる履歴情報がユーザの操作によって選択された場合に、前記選択された履歴情報を前記コメント入力欄に入力することを特徴とする請求項１に記載の表示器用画面データ編集装置。
【請求項３】
前記検索処理部が前記履歴込み変数テーブルから抽出した項目に含まれるデバイス又はコメントが前記デバイス入力欄又は前記コメント入力欄に入力された場合に、前記文字列に関連するデバイス又はコメントを含む項目を前記履歴込み変数テーブルから抽出して第２のリストとして一覧表示する関連情報検出部を有し、
前記第２のリストから選択された項目に含まれるデバイス又はコメントを前記デバイス入力欄及び前記コメント入力欄に入力することを特徴とする請求項１又は２に記載の表示器用画面データ編集装置。
【国際調査報告】
2013099013.tif 000014
2013099013.tif 000015
2013099013.tif 000016
2013099013.tif 000017